【手続補正書】
【提出日】平成20年9月16日(2008.9.16)
【手続補正１】
【補正対象書類名】明細書
【補正対象項目名】発明の名称
【補正方法】変更
【補正の内容】
【発明の名称】画像処理装置、画像処理方法、プログラム、記憶媒体
【手続補正２】
【補正対象書類名】明細書
【補正対象項目名】特許請求の範囲
【補正方法】変更
【補正の内容】
【特許請求の範囲】
【請求項１】
連続的なフレーム画像によって構成される動画像データを入力する入力手段と、
前記入力手段により入力された動画像データから前記フレーム画像を指示する指示手段と、
前記指示手段により指示された前記フレーム画像のサムネイル画像を生成するサムネイル画像生成手段と、
前記動画像データと、前記指示手段により指示されたフレーム画像の画像データと、前記サムネイル画像生成手段により生成されたサムネイル画像の画像データとを夫々関連付けて格納する格納手段とを有することを特徴とする画像処理装置。
【請求項２】
更に、前記動画像データの各フレームを圧縮する動画圧縮手段を備え、
前記格納手段は、前記動画圧縮手段によるフレーム毎の圧縮データを格納することを特徴とする請求項１に記載の画像処理装置。
【請求項３】
前記動画圧縮手段は、前記動画像データの各フレームに対してＭＰＥＧ圧縮処理を行うことを特徴とする請求項２に記載の画像処理装置。
【請求項４】
更に、前記動画像データの各フレームのサイズを縮小し、縮小した各フレームに対して圧縮を行う動画縮小圧縮手段を備え、
前記格納手段は、前記動画縮小圧縮手段によるフレーム毎の圧縮データを格納することを特徴とする請求項１に記載の画像処理装置。
【請求項５】
前記動画縮小圧縮手段は、前記動画像データの各フレームの画像の画素数を間引くことで当該画像のサイズを縮小し、縮小した各フレームに対してＪＰＥＧ圧縮処理を行うことを特徴とする請求項４に記載の画像処理装置。
【請求項６】
更に、前記指示手段により指示されたフレーム画像の画像データ、前記サムネイル画像の画像データを圧縮する静止画圧縮手段を備えることを特徴とする請求項１乃至５のいずれか１項に記載の画像処理装置。
【請求項７】
前記静止画圧縮手段は、前記指示手段により指示されたフレーム画像の画像データ、前記サムネイル画像の画像データに対してＪＰＥＧ圧縮を行うことを特徴とする請求項６に記載の画像処理装置。
【請求項８】
更に、前記動画像データのファイルを作成する第１のファイル作成手段と、
前記指示手段により指示されたフレーム画像の画像データと、前記サムネイル画像の画像データのファイルを作成する第２のファイル作成手段とを備えることを特徴とする請求項１に記載の画像処理装置。
【請求項９】
前記第１のファイル作成手段により作成されるファイルはＭＰＥＧファイルであることを特徴とする請求項８に記載の画像処理装置。
【請求項１０】
前記第１のファイル作成手段により作成されるファイルはＭｏｔｉｏｎ−ＪＰＥＧファイルであることを特徴とする請求項８に記載の画像処理装置。
【請求項１１】
前記第２のファイル作成手段により作成されるファイルはＪＰＥＧファイルであることを特徴とする請求項８に記載の画像処理装置。
【請求項１２】
前記第１のファイル作成手段、及び前記第２のファイル作成手段は、同じファイル名を、前記第１のファイル作成手段により作成されるファイル、前記第２のファイル作成手段により作成されるファイルに対して付けることで、関連づけることを特徴とする請求項８乃至１１のいずれか１項に記載の画像処理装置。
【請求項１３】
更に、前記第２のファイル作成手段は、前記第２のファイル作成手段により作成されるサムネイル画像のファイルに、当該サムネイル画像を作成するのに用いたフレーム画像を特定する情報を付加することで、関連づけることを特徴とする請求項８乃至１２のいずれか１項に記載の画像処理装置。
【請求項１４】
更に、前記第１のファイル作成手段により作成されたファイル、前記第２のファイル作成手段により作成されたファイルとの関連を記述した管理ファイルを作成する管理ファイル作成手段を備え、
前記管理ファイルにより、前記第１のファイル作成手段により作成されたファイルと、前記第２のファイル作成手段により作成されたファイルとを関連づけることを特徴とする請求項８乃至１１のいずれか１項に記載の画像処理装置。
【請求項１５】
更に、前記第１のファイル作成手段により作成されたファイルと、前記第２のファイル作成手段により作成されたファイルとを多重化して一つのファイルにする多重化手段を備えることを特徴とする請求項８乃至１１のいずれか１項に記載の画像処理装置。
【請求項１６】
前記入力手段は、動画像データを一時記憶する記憶手段を有し、前記記憶手段に記憶される動画像データのデータサイズが、前記記憶手段の記憶容量を越えた場合、
前記記憶手段は、記憶しているフレーム毎の動画像データのうち、記憶したタイミングの古い順にフレームのデータを破棄することを特徴とする請求項１に記載の画像処理装置。
【請求項１７】
前記入力手段は、前記動画像データを一時記憶する記憶手段を含み、前記格納手段は、前記サムネイル画像が生成された後、前記記憶手段に記憶された動画像データと、前記指示手段により指示されたフレーム画像の画像データと、前記サムネイル画像生成手段により生成されたサムネイル画像の画像データとを夫々関連付けて格納することを特徴とする請求項１乃至１６のいずれか１項に記載の画像処理装置。
【請求項１８】
前記入力手段は被写体像を撮像して前記動画像データを出力する撮像手段を含むことを特徴とする請求項１乃至１７のいずれか１項に記載の画像処理装置。
【請求項１９】
静止画及び／又は動画を再生する画像処理装置であって、
少なくとも一つ以上の静止画、及び当該静止画に対応するサムネイル画像、及び当該静止画のうち、いずれかの静止画に対応する動画を格納する格納手段と、
前記サムネイル画像を一覧表示する表示手段と、
前記表示手段に表示されたサムネイル画像のうち、いずれか１つを選択する選択手段とを備え、
前記表示手段は、前記選択手段により選択されたサムネイル画像に対応する静止画を前記格納手段から選択して表示すると共に、当該静止画に対応する動画が前記格納手段に格納されている場合、当該動画を再生表示することを特徴とする画像処理装置。
【請求項２０】
前記格納手段が格納する、少なくとも一つ以上の静止画、及び当該静止画に対応するサムネイル画像、及び当該静止画のうち、いずれかの静止画に対応する動画はいずれも圧縮されており、
圧縮された静止画、圧縮されたサムネイル画像、圧縮された動画を伸長する伸長手段を更に備え、
前記表示手段は、伸長された静止画、サムネイル画像、動画のうち、少なくとも一つ以上を表示することを特徴とする請求項１９に記載の画像処理装置。
【請求項２１】
前記表示手段に表示されるサムネイル画像に対応する静止画に、対応する動画が前記格納手段に存在する場合、
前記表示手段は、前記サムネイル画像にマークを付加して表示することを特徴とする請求項１９又は２０に記載の画像処理装置。
【請求項２２】
前記表示手段に表示されるサムネイル画像に対応する静止画に、対応する動画が前記格納手段に存在する場合、
更に、前記動画の所定フレームのサムネイル画像を作成するサムネイル画像作成手段を備え、
前記表示手段は前記サムネイル画像、前記静止画、前記動画と共に、前記サムネイル作成手段により作成されたサムネイル画像を表示することを特徴とする請求項１９乃至２１のいずれか１項に記載の画像処理装置。
【請求項２３】
更に、前記表示手段は、前記選択手段により選択されたサムネイル画像に対応する静止画に対応する動画が前記格納手段に格納されていない場合、前記静止画を拡大表示することを特徴とする請求項１９乃至２２のいずれか１項に記載の画像処理装置。
【請求項２４】
更に、前記選択手段により選択されたサムネイル画像に対応した静止画と当該静止画に対応する動画を削除するか、もしくは当該動画のみを削除するかを指示する削除指示手段と、
前記削除指示手段による指示に基づいて、前記選択手段により選択されたサムネイル画像に対応した静止画と当該静止画に対応する動画、もしくは当該動画のみを削除する削除手段と
を備えることを特徴とする請求項１９乃至２３のいずれか１項に記載の画像処理装置。
【請求項２５】
連続的なフレーム画像によって構成される動画像データを入力する入力工程と、
前記入力工程で入力された動画像データから前記フレーム画像を指示する指示工程と、
前記指示工程で指示された前記フレーム画像のサムネイル画像を生成するサムネイル画像生成工程と、
前記動画像データと、前記指示工程で指示されたフレーム画像の画像データと、前記サムネイル画像生成工程で生成されたサムネイル画像の画像データとを夫々関連付けて格納する格納工程とを有することを特徴とする画像処理方法。
【請求項２６】
更に、前記動画像データの各フレームを圧縮する動画圧縮工程を備え、
前記格納工程では、前記動画圧縮工程によるフレーム毎の圧縮データを格納することを特徴とする請求項２５に記載の画像処理方法。
【請求項２７】
更に、前記動画像データの各フレームのサイズを縮小し、縮小した各フレームに対して圧縮を行う動画縮小圧縮工程を備え、
前記格納工程では、前記動画縮小圧縮工程によるフレーム毎の圧縮データを格納することを特徴とする請求項２５に記載の画像処理方法。
【請求項２８】
更に、前記指示工程で指示されたフレーム画像の画像データ、前記サムネイル画像の画像データを圧縮する静止画圧縮工程を備えることを特徴とする請求項２５乃至２７のいずれか１項に記載の画像処理方法。
【請求項２９】
更に、前記動画像データのファイルを作成する第１のファイル作成工程と、
前記指示工程で指示されたフレーム画像の画像データと、前記サムネイル画像の画像データのファイルを作成する第２のファイル作成工程とを備えることを特徴とする請求項２５に記載の画像処理方法。
【請求項３０】
前記第１のファイル作成工程、及び前記第２のファイル作成工程では、同じファイル名を、前記第１のファイル作成工程で作成されるファイル、前記第２のファイル作成工程で作成されるファイルに対して付けることで、関連づけることを特徴とする請求項２９に記載の画像処理方法。
【請求項３１】
更に、前記第２のファイル作成工程では、前記第２のファイル作成工程で作成されるサムネイル画像のファイルに、当該サムネイル画像を作成するのに用いたフレーム画像を特定する情報を付加することで、関連づけることを特徴とする請求項２９又は３０に記載の画像処理方法。
【請求項３２】
更に、前記第１のファイル作成工程で作成されたファイル、前記第２のファイル作成工程で作成されたファイルとの関連を記述した管理ファイルを作成する管理ファイル作成工程を備え、
前記管理ファイルにより、前記第１のファイル作成工程で作成されたファイルと、前記第２のファイル作成工程で作成されたファイルとを関連づけることを特徴とする請求項２９に記載の画像処理方法。
【請求項３３】
更に、前記第１のファイル作成工程で作成されたファイルと、前記第２のファイル作成工程で作成されたファイルとを多重化して一つのファイルにする多重化工程を備えることを特徴とする請求項２９に記載の画像処理方法。
【請求項３４】
静止画及び／又は動画を再生する画像処理方法であって、
少なくとも一つ以上の静止画、及び当該静止画に対応するサムネイル画像、及び当該静止画のうち、いずれかの静止画に対応する動画を格納手段に格納する格納工程と、
前記サムネイル画像を一覧表示する表示工程と、
前記表示工程で表示されたサムネイル画像のうち、いずれか１つを選択する選択工程とを備え、
前記表示工程では、前記選択工程で選択されたサムネイル画像に対応する静止画を前記格納手段から選択して表示すると共に、当該静止画に対応する動画が前記格納手段に格納されている場合、当該動画を再生表示することを特徴とする画像処理方法。
【請求項３５】
前記格納手段が格納する、少なくとも一つ以上の静止画、及び当該静止画に対応するサムネイル画像、及び当該静止画のうち、いずれかの静止画に対応する動画はいずれも圧縮されており、圧縮された静止画、圧縮されたサムネイル画像、圧縮された動画を伸長する伸長工程を更に備え、
前記表示工程では、伸長された静止画、サムネイル画像、動画のうち、少なくとも一つ以上を表示することを特徴とする請求項３４に記載の画像処理方法。
【請求項３６】
前記表示工程で表示されるサムネイル画像に対応する静止画に、対応する動画が前記格納手段に存在する場合、
更に、前記動画の所定フレームのサムネイル画像を作成するサムネイル画像作成工程を備え、
前記表示工程では前記サムネイル画像、前記静止画、前記動画と共に、前記サムネイル作成工程で作成されたサムネイル画像を表示することを特徴とする請求項３４又は３５に記載の画像処理方法。
【請求項３７】
更に、前記選択工程で選択されたサムネイル画像に対応した静止画と当該静止画に対応する動画を削除するか、もしくは当該動画のみを削除するかを指示する削除指示工程と、
前記削除指示工程での指示に基づいて、前記選択工程で選択されたサムネイル画像に対応した静止画と当該静止画に対応する動画、もしくは当該動画のみを削除する削除工程と
を備えることを特徴とする請求項３４乃至３６のいずれか１項に記載の画像処理方法。
【請求項３８】
コンピュータに請求項２５乃至３７のいずれか１項に記載の画像処理方法を実行させるためのプログラム。
【請求項３９】
請求項３８に記載のプログラムを格納した、コンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、動画の撮影を行う、もしくは、静止画及び／又は動画を再生する画像処理装置、画像処理方法、プログラム、記憶媒体に関するものである。
【手続補正４】
【補正対象書類名】明細書
【補正対象項目名】０００８
【補正方法】変更
【補正の内容】
【０００８】
すなわち、連続的なフレーム画像によって構成される動画像データを入力する入力手段と、
前記入力手段により入力された動画像データから前記フレーム画像を指示する指示手段と、
前記指示手段により指示された前記フレーム画像のサムネイル画像を生成するサムネイル画像生成手段と、
前記動画像データと、前記指示手段により指示されたフレーム画像の画像データと、前記サムネイル画像生成手段により生成されたサムネイル画像の画像データとを夫々関連付けて格納する格納手段とを有することを特徴とする。